(57)【要約】【課題】複数の電話装置の利用者が、いずれかの電話装置で通話中であるときに、通話中ではない他の電話装置に新たな着信があった場合、当該着信の発信者に対し、着信に応答できない旨を通知することが出来る電話装置を提供する。【解決手段】電話網を介した通話機能と、所定の近距離無線通信方式に基づいて近傍に存在する他端末とローカルな通信を実行するローカル通信機能と、を具備する電話装置であって、通話中の状態である旨の通話中メッセージを前記ローカル通信機能により前記他端末から受信すると、前記電話網から着信した場合に、前記到来した着信に自動的に応答し、当該着信の発信元へ、着信に応答できない旨の音声メッセージを送信する。【選択図】図１
2017183981.tif 000002
【特許請求の範囲】
【請求項１】
電話装置であって、
自電話装置の近傍に存在し、所定の近距離無線通信機能を具備する他電話装置を探索する近傍他電話装置探索手段と、
前記近傍他電話装置探索手段が、前記他電話装置を検出すると、当該他電話装置と前記近距離無線通信機能を用いてローカル接続するローカル接続手段と、
前記ローカル接続手段が接続中に自電話装置宛への着信を検出すると、接続先の他電話装置へ着信を検出した旨を通知する着信あり通知手段と、
自電話装置が通話中の状態で、前記ローカル接続手段の接続先の他電話装置から着信通知を受信すると、当該接続先の他電話装置を遠隔制御して当該他電話装置からの着信に自動応答し通話中の為応答出来ない旨の音声メッセージを通知する通話中音声メッセージ通知手段と、
を有することを特徴とする近傍端末連動応答不可送信機能を有する電話装置。
【発明の詳細な説明】
【技術分野】
【０００１】
本発明は、通話中であるか否かの情報を送受信できる電話装置に関するものである。
【背景技術】
【０００２】
個人が、複数の電話装置を所持し、利用シーンに応じて電話装置を使い分けるケースがある（例えば、ビジネスとプライベートでの使い分け）。この場合、ユーザがいずれかの電話装置において通話中、別の電話装置に着信があると、通話中のため応答できないという問題がある。この時ユーザは、該着信の発信者が応答を諦めて発信停止するのを待つか、予告なしに該着信を切断するかしかなく、該着信の発信者へユーザの状況（通話中のため応答ができない）を通知することができない。
【０００３】
この問題を解決するため、特許文献１には、交換機に接続した制御装置が、当該交換機に収容されている内線電話機の通話状態（通話中であるか否か）を監視し、収容された内線電話機のいずれかが通話中の状態で、新たに該内線電話機宛へ着信があった場合、該着信に自動応答して通話中のため応答ができない旨の音声を該着信の発信者へ通知する技術が開示されている。
【先行技術文献】
【特許文献】
【０００４】
【特許文献１】特開２０１３−２０７５８５号公報
【発明の概要】
【発明が解決しようとする課題】
【０００５】
しかしながら、特許文献１に記載された技術は、交換機と内線電話機からなる電話システムの構成が前提であり、独立して通話が可能な単独電話機や携帯電話機などの電話装置に適用された場合を考慮していない。また、上記問題を達成するためには、前記構内交換機に専用のアダプタ装置を新たに設置しなければならないという問題もある。
【０００６】
本発明は、上記問題に鑑みてなされたもので、その課題は、専用のアダプタ装置を新たに設けず、単独電話機や携帯電話機などの電話装置において、他の電話装置で通話中に着信があった場合、該着信の発信者に対して他の電話装置で通話中のため着信に応答できない旨を通知することが出来る電話装置を提供することにある。
【課題を解決するための手段】
【０００７】
上記課題を解決するため、本発明は、電話装置であって、自電話装置の近傍に存在し、所定の近距離無線通信機能を具備する他電話装置を探索する近傍他電話装置探索手段と、  前記近傍他電話装置探索手段が、前記他電話装置を検出すると、当該他電話装置と前記近距離無線通信機能を用いてローカル接続するローカル接続手段と、前記ローカル接続手段が接続中に自電話装置宛への着信を検出すると、接続先の他電話装置へ着信を検出した旨を通知する着信あり通知手段と、自電話装置が通話中の状態で、前記ローカル接続手段の接続先の他電話装置から着信通知を受信すると、当該接続先の他電話装置を遠隔制御して当該他電話装置からの着信に自動応答し通話中の為応答出来ない旨の音声メッセージを通知する通話中音声メッセージ通知手段と、を有することを特徴とする。
【発明の効果】
【０００８】
本発明によれば、電話装置が、近傍に存在する他電話装置とローカル接続し、通話開始時に通話中である旨の情報を通知する。また、電話装置は、他電話装置から他電話装置が通話中である旨の情報を受信すると、自電話装置の着信設定を、着信があると自動応答して通話中のため着信に応答できない旨を送出する設定にする。
【０００９】
これにより、複数の電話装置を所持するユーザは、電話装置で通話中に、ユーザが所持する他の電話装置に着信があった場合、専用のアダプタ装置を新たに設けず、着信に応答できない旨を通知することができる。
【図面の簡単な説明】
【００１０】
【図１】図１は、本発明における電話装置の全体構成図、およびブロック図である。
【図２】図２は、本発明における電話装置の動作フローチャート図である。
【図３】図３は、近距離無線通信記憶部に記憶された近距離無線通信端末テーブルを模式的に表した図である。
【発明を実施するための形態】
【００１１】
以下、本発明を実施する形態について、図面を用いて説明する。
【００１２】
図１は、本発明における電話装置１０の全体構成図、およびブロック図である。
【００１３】
図示するように、電話装置１０は、基地局２０に接続する携帯電話機である。また、基地局２０には、複数の電話装置１０が接続しており、各電話装置１０−１〜電話装置１０−３は、互いに同期し近距離無線通信（例えば、Ｂｌｕｅｔｏｏｔｈ（登録商標）や無線ＬＡＮ（Ｌｏｃａｌ  Ａｒｅａ  Ｎｅｔｗｏｒｋ））を用いて接続している。
【００１４】
尚、本発明を実施する形態では、電話装置１０は、携帯電話機として説明しているが、本願はこれに限定されない。例えば、単独電話機であってもよいし、構内交換機に収容された内線電話機でもよい。
【００１５】
電話装置１０は、マンマシンインターフェース１０１、端末制御部１０２、呼制御部１０３、無線通信部１０４、近距離無線通信部１０５、通話状態制御部１０６、近距離無線通信端末記憶部１０７、とから構成される。
【００１６】
マンマシンインターフェース１０１は、ダイヤルキー、フック等の電話装置１０を操作する入力機器である。
【００１７】
端末制御部１０２は、電話装置１０の端末に係る処理全般を制御する制御部である。また、端末制御部１０２は、通話状態制御部１０６からの指示に応じて通話中の着信を拒否する（以下、話中拒否と呼称）設定をする又は、話中拒否の設定を解除する。
【００１８】
呼制御部１０３は、発信、着信、呼出し、応答、切断、解放等、呼接続に係る処理全般および通話に係る処理全般を制御する。
【００１９】
無線通信部１０４は、基地局２０及び公衆網３０を介して通信する際の無線通信に係る処理全般を制御する制御部である。尚、ここでいう無線通信とは、例えば、３Ｇ、４Ｇ等の無線通信方式を示す。
【００２０】
近距離無線通信部１０５は、近傍に存在する他装置（例えば、Ｂｌｕｅｔｏｏｔｈ対応デバイス）との近距離無線通信に係る処理全般を制御する。
【００２１】
通話状態制御部１０６は、端末制御部１０２を監視し、近傍にある他装置と近距離無線通信を行うためのユーザによる操作（以下、近距離無線通信操作と呼称）、または通話を終了する操作（以下、オンフック操作）、または、他装置との通話の確立（以下、通話確立）、または他装置からの通話を終了する要求（以下、終話要求）、のいずれかを検出する。また、通話状態制御部１０６は、近距離無線通信操作、オンフック操作、通話確立、終話要求を検出すると、検出した操作または要求に応じた処理を行う。検出した操作または要求に応じた処理の詳細については図３で説明する。
【００２２】
近距離無線通信端末記憶部１０７は、近距離無線通信端末テーブル１０７０を記憶する。
【００２３】
図３は、近距離無線通信端末記憶部１０７に記憶される近距離無線通信端末テーブル１０７０の記憶内容を模式的に表した図である。図示する様に、近距離無線通信端末テーブル１０７０は、通話状態制御部１０６によって登録されたＢＤアドレスのフィールド１０７１と、ＢＤアドレスによって特定される他装置の製品名を意味する製品名のフィールド１０７２と、から構成される。尚、ＢＤアドレスとは、ＢｌｕｅｔｏｏｔｈにおけるＢｌｕｅｔｏｏｔｈ対応デバイスを識別するために使われる一意のアドレスである。
【００２４】
次に、通話状態制御部１０６が近距離無線通信操作、オンフック操作、通話確立、終話要求を検出した場合の検出に応じた処理の詳細について説明する。
【００２５】
まず、通話状態制御部１０６は、マンマシンインターフェース１０１から端末制御部１０２を介して近距離無線通信操作を検出すると、近距離無線通信部１０５に、近距離無線通信を用いて近傍にある他装置との接続要求を指示する。近距離無線通信部１０５は、前記接続要求を受け取ると、通話状態制御部１０６に、ＢＤアドレス及び製品名を渡す。
【００２６】
通話状態制御部１０６は、近距離無線通信部１０５から前記ＢＤアドレス及び前記製品名を渡されると、近距離無線通信端末記憶部１０７に記憶した近距離無線通信端末テーブル１０７０に新たなレコード１０７３を追加し、当該レコード１０７３に当該ＢＤアドレス及び当該製品名を登録する。
【００２７】
通話状態制御部１０６は、通話確立を検出すると、通話中の状態を送受信することが可能な装置（以下、対応電話端末と呼称）の製品名が近距離無線通信端末テーブル１０７０の製品名のフィールド１０７２に登録されているか検索する。登録されていた場合、通話状態制御部１０６は、登録されていた製品名のフィールド１０７２に対応するレコード１０７３のＢＤアドレスを抽出し、端末制御部１０２に、当該ＢＤアドレス宛へ自電話装置が通話中である旨の状態（以下、通話中の通話状態と呼称）の送信を指示する。
【００２８】
通話状態制御部１０６は、端末制御部１０２を介してオンフック操作、または終話要求を検出すると、近距離無線通信部１０５に、前記ＢＤアドレス宛へ自電話装置が待機中である旨の状態（以下、待機中の通話状態と呼称）の送信を指示する。
【００２９】
また、通話状態制御部１０６は、対応電話端末から近距離無線通信部１０５を介して通話中の通話状態が渡されると、端末制御部１０２に、話中拒否の設定を指示する。
【００３０】
また、通話状態制御部１０６は、対応電話端末から近距離無線通信部１０５を介して待機中の通話状態が渡されると、端末制御部１０２に話中拒否の設定の解除を指示する。
【００３１】
図２は、本発明における電話装置１０の動作フローチャート図である。本フローは、電話装置１０に電源が投入され、発着信可能な状態で、かつマンマシンインターフェース１０１からの操作受付が可能な状態から開始される。
【００３２】
まず、電話装置１０は、発信操作を検出する（Ｓ２０１）、または着信（呼接続要求受信）を検出する（Ｓ２０２）、または対応電話端末より通話状態を受信する（Ｓ２０３）、または近距離無線通信要求（Ｂｌｕｅｔｏｏｔｈ接続要求）を受信する（Ｓ２０４）、のいずれかの状態になるのを待つ。
【００３３】
発信操作を検出した場合（Ｓ２０１、Ｙｅｓ）、電話装置１０は、呼が接続したかを判定する（Ｓ２０５）。ここで、呼が接続したとは、発信に対して相手が応答し通話を確立した状態または着信に対して自電話装置のユーザから応答操作を検出して通話を確立した状態を意味する。呼が接続されなかった場合は（Ｓ２０５、Ｎｏ）、ステップ２０１に戻る。ここで、呼が接続されなかった場合とは、発信に対してユーザから切断操作を検出して終話処理した状態または、着信に対して相手が切断し終話処理した状態を意味する。
【００３４】
また、呼が接続された場合（Ｓ２０５、Ｙｅｓ）、電話装置１０は、呼を接続する呼制御処理を行い、対応電話端末として登録されている端末があるか判定する（Ｓ２０６）。対応電話端末として登録されていた場合（Ｓ２０６、Ｙｅｓ）、電話装置１０は、当該対応電話端末に対して通話中の通話状態を通知する（Ｓ２０７）。
【００３５】
その後、電話装置１０は、呼接続中の呼を切断するオンフック操作を検出する、または相手から呼接続した通話を切断する終話要求を検出する、のいずれかの状態になるのを待つ（Ｓ２０８）。
【００３６】
オンフック操作を検出した、または終話要求を検出した場合（Ｓ２０８、Ｙｅｓ）、電話装置１０は、呼接続中の呼を切断する呼切断処理を行い、通話を停止する（Ｓ２０９）。そして、電話装置１０は、前記対応電話端末に待機中の通話状態を送信し（Ｓ２１２）、ステップ２０１に戻る。
【００３７】
一方、対応電話端末として登録されていなかった場合（Ｓ２０６、Ｎｏ）、電話装置１０は、オンフック操作を検出する、または終話要求を検出する、のいずれかの状態になるのを待つ（Ｓ２１０）。
【００３８】
オンフック操作を検出した、または終話要求を検出した場合（Ｓ２１０、Ｙｅｓ）、電話装置１０は、呼切断処理を行い、通話を停止し（Ｓ２１１）、ステップ２０１に戻る。
【００３９】
一方、着信を検出した場合（Ｓ２０２、Ｙｅｓ）、電話装置１０は、話中拒否の設定がされているか否かを判定する（Ｓ２１３）。
【００４０】
話中拒否の設定がされていなかった場合（Ｓ２１３、Ｎｏ）、電話装置１０は、着信音の鳴動を行い（Ｓ２１４）、ステップ２０５に移行する。
【００４１】
話中拒否の設定がされていた場合（Ｓ２１３、Ｙｅｓ）、電話装置１０は、当該着信に対して自動応答して、話中である旨の音声ガイダンス（以下、話中音声メッセージと呼称）送出し、当該話中音声メッセージ送出後に自動切断を行い（Ｓ２１５）、ステップ２０１に戻る。
【００４２】
一方、対応電話端末より通話状態を受信した場合（Ｓ２０３、Ｙｅｓ）、電話装置１０は、当該通話状態が通話中か待機中かの判定を行う（Ｓ２１６）。
【００４３】
当該通話状態が通話中だった場合（Ｓ２１６、通話中）、電話装置１０は、話中拒否を設定し（Ｓ２１７）、ステップ２０１に戻る。
【００４４】
当該通話状態が待機中だった場合（Ｓ２１６、待機中）、電話装置１０は、話中拒否の設定を解除し（Ｓ２１８）、ステップ２０１に戻る。
【００４５】
一方で、近距離無線通信要求（Ｂｌｕｅｔｏｏｔｈ接続要求）を受信した場合（Ｓ２０４、Ｙｅｓ）、電話装置１０は、当該要求元端末と近距離無線通信接続処理を行い、当該要求元端末を近距離無線通信端末として近距離無線通信端末テーブル１０７０に登録し（Ｓ２１９）、ステップ２０１に戻る。
【００４６】
以上、本発明を実施する形態について説明した。
【００４７】
本発明を実施する形態によれば、電話装置１０は、通話開始になると、ＢＤアドレスに対して、他装置に通話中の通話状態を送信する。そして、他装置は当該通話中の通話状態を受信すると話中拒否を設定する。これにより、電話装置１０が通話中であるときに、他装置に着信があった場合、当該着信の発信者に対し、自電話装置１０が通話中のため着信に応答できない旨を通知することができる。
【００４８】
また、本発明を実施する形態によれば、電話装置１０は、終話になると、ＢＤアドレスから、他装置に待機中の通話状態を送信する。そして、他装置は、当該待機中の通話状態を受信すると、話中拒否の設定を解除する。これにより、電話装置１０が通話を終えると、他装置の話中拒否の設定が解除され、当該他装置に着信があった場合、当該着信に応答することができる。
【００４９】
尚、本発明を実施する形態では、ステップ２１５において自動応答、話中音声メッセージ送出、自動切断する説明をしたが本願はこれに限定しない。例えば、マナーモードの設定であってもよい。
【００５０】
尚、本発明を実施する形態では、ステップ２１５において自動応答、話中音声メッセージ送出、自動切断する説明をしたが本願はこれに限定しない。例えば、着信に応答して保留にしてもよい。
【００５１】
尚、本発明を実施する形態では、ステップ２１５において自動応答、話中音声メッセージ送出、自動切断する説明をしたが本願はこれに限定しない。例えば、優先度の高い相手からの着信だった場合、通話中の相手に音声メッセージを送出し、通話を切断して着信に応答してもよい。
【符号の説明】
【００５２】
１０  電話装置
２０  基地局
３０  公衆網
１０１  マンマシンインターフェース
１０２  端末制御部
１０３  呼制御部
１０４  無線通信部
１０５  近距離無線通信部
１０６  通話状態制御部
１０７  近距離無線通信端末記憶部
【図１】
2017183981.tif 000003
【図２】
2017183981.tif 000004
【図３】
2017183981.tif 000005